(57)【要約】本開示は音声通信時のユーザ体験を向上させるための音声通話プロンプト方法、装置、プログラム及び記録媒体に関わる。前記方法は、前記音声情報を受信する際の現在時間を取得するステップと、前記現在時間と前回の音声再生時に対応する時点との時間間隔を特定するステップと、前記時間間隔が所定の時間帯よりも大きい場合、前記音声情報を再生する旨のプロンプト情報を放出するステップとを含む。これにより、ユーザに当該音声情報を聴取するための充分な心理的準備をさせることで、驚かせることを回避するため、ユーザによる音声通信時の体験を向上させる。【選択図】図１
2017508413.tif 000002
【特許請求の範囲】
【請求項１】
端末機器から送信される音声情報を受信する際の現在時間を取得するステップと、
前記現在時間と前回の音声再生時に対応する時点との時間間隔を特定するステップと、
前記時間間隔が所定の時間帯よりも大きい場合、前記音声情報を再生する旨のプロンプト情報を放出するステップと、を含むことを特徴とする音声通話プロンプト方法。
【請求項２】
前記音声情報を再生する旨のプロンプト情報を放出するステップは、
プロンプト音声を再生することで、前記音声情報を再生しようとする旨をプロンプトすること、または、
指示ランプが定められた頻度で点滅するように制御することで、前記音声情報を再生しようとする旨をプロンプトすること、を含むことを特徴とする請求項１に記載の音声通話プロンプト方法。
【請求項３】
端末機器からの音声情報の音を識別するステップと、
前記音声情報の音を記憶された音と照合させるステップとをさらに含み、
前記照合に成功した場合、当該記憶された音をプロンプト音声として再生し、
前記照合に成功しなかった場合、プロンプト音声を再生することで、当該音声情報を再生しようとする旨をプロンプトすることを特徴とする請求項１に記載の音声通話プロンプト方法。
【請求項４】
前記音声情報を再生する旨のプロンプト情報を放出するステップの後に、前記音声情報を再生するステップをさらに含むことを特徴とする請求項１に記載の音声通話プロンプト方法。
【請求項５】
前記音声情報を再生する旨のプロンプト情報を放出するステップは、前記音声情報をその音量が徐々に大きくなるように再生するようにプレーヤーを制御することを含むことを特徴とする請求項１に記載の音声通話プロンプト方法。
【請求項６】
端末機器の音声情報を受信する際の現在時間を取得するように配置される取得モジュールと、
前記現在時間と前回の音声再生時に対応する時点との時間間隔を特定するように配置される特定モジュールと、
前記時間間隔が所定の時間帯よりも大きい場合、前記音声情報を再生する旨のプロンプト情報を放出するように配置されるプロンプトモジュールとを備えることを特徴とする音声通話プロンプト装置。
【請求項７】
前記プロンプトモジュールは、
プロンプト音声を再生することで、前記音声情報を再生しようとする旨をプロンプトするように配置される第１のプロンプトサブモジュールと、および・または、
指示ランプを点滅させることで、前記音声情報を再生しようとする旨をプロンプトするように配置される第２のプロンプトサブモジュールとを備えることを特徴とする請求項６に記載の音声通話プロンプト装置。
【請求項８】
端末機器からの音声情報の音を識別するように配置される識別モジュールと、
前記音声情報の音を記憶された音声と照合させるように配置される照合モジュールと、をさらに備え、
前記プロンプトモジュールは、
前記照合に成功した場合、当該記憶された音声をプロンプト音声として再生し、
前記照合に成功しなかった場合、プロンプト音声を再生することで、当該音声情報を再生しようとする旨をプロンプトすることを特徴とする請求項６に記載の音声通話プロンプト装置。
【請求項９】
前記音声情報を再生するように配置される再生モジュールをさらに備えることを特徴とする請求項６に記載の音声通話プロンプト装置。
【請求項１０】
前記プロンプトモジュールは、前記音声情報をその音量が徐々に大きくなるように再生するようにプレーヤーを制御するように配置される第３のプロンプトサブモジュールを備えることを特徴とする請求項６に記載の音声通話プロンプト装置。
【請求項１１】
プロセッサと、
プロセッサの実行可能な指令を記憶するためのメモリとを備え、
前記プロセッサは、
端末機器の音声情報を受信する際の現在時間を取得し、
前記現在時間と前回の音声再生時に対応する時点との時間間隔を特定し、
前記時間間隔が所定の時間帯よりも大きい場合、前記音声情報を再生する旨のプロンプト情報を放出するように配置されることを特徴とする音声通話プロンプト装置。
【発明の詳細な説明】
【相互参照】
【０００１】
本発明は、出願番号が２０１４１０６５９７２５１であり、出願日が２０１４年１１月１８日である中国特許出願を基に提出するものであり、当該中国特許出願の優先権を主張し、当該中国特許出願の全ての内容は、参照のため本願に援用される。
【技術分野】
【０００２】
本発明は、通信技術分野に関し、特に音声通話プロンプト方法及び装置に関する。
【背景技術】
【０００３】
インテリジェントカメラは、家庭安全監視において非常に重要な役割を果たしている。関連技術では、カメラで捕らえた映像を端末機器を介して取得する。音声会話を行っているとき、関連技術では、直接に音声を遠隔通信の相手に送信する。ユーザが事前に準備がない場合に驚いたりするため、ユーザ体験は悪い。
【発明の概要】
【発明が解決しようとする課題】
【０００４】
関連技術に存在する課題を克服するすべく、本開示の実施例は、音声通信時のユーザ体験を向上させるための音声通話プロンプト方法及び装置を提供する。
【課題を解決するための手段】
【０００５】
本開示の実施例の第１の局面によれば、端末機器の音声情報を受信する際の現在時間を取得するステップと、前記現在時間と前回の音声再生時に対応する時点との時間間隔を特定するステップと、前記時間間隔が所定の時間帯よりも大きい場合、前記音声情報を再生する旨のプロンプト情報を放出するステップと、を含む音声通話プロンプト方法を提供する。
【０００６】
ある実施例において、前記音声情報を再生する旨のプロンプト情報を放出するステップは、プロンプト音声を再生することで、前記音声情報を再生しようとする旨をプロンプトすること、または、指示ランプが定められた頻度で点滅するように制御することで、前記音声情報を再生しようとする旨をプロンプトすること、を含んでもよい。
【０００７】
ある実施例において、音声通話プロンプト方法は、端末機器からの音声情報の音を識別するステップと、前記音声情報の音を記憶された音と照合させるステップとをさらに含んでもよく、前記照合に成功した場合、当該記憶された音をプロンプト音声として再生し、前記照合に成功しなかった場合、プロンプト音声を再生することで、当該音声情報を再生しようとする旨をプロンプトする。
【０００８】
ある実施例において、音声通話プロンプト方法は、前記音声情報を再生するステップをさらに含んでもよい。
【０００９】
ある実施例において、前記音声情報を再生する旨のプロンプト情報を放出するステップは、前記音声情報をその音量が徐々に大きくなるように再生するようにプレーヤーを制御することを含んでもよい。
【００１０】
本開示の実施例の第２の局面によれば、端末機器の音声情報を受信する際の現在時間を取得するように配置される取得モジュールと、前記現在時間と前回の音声再生時に対応する時点との時間間隔を特定するように配置される特定モジュールと、前記時間間隔が所定の時間帯よりも大きい場合、前記音声情報を再生する旨のプロンプト情報を放出するように配置されるプロンプトモジュールとを備える音声通話プロンプト装置を提供する。
【００１１】
ある実施例において、前記プロンプトモジュールは、プロンプト音声を再生することで、前記音声情報を再生しようとする旨をプロンプトするように配置される第１のプロンプトサブモジュールと、および・または、指示ランプを点滅させることで、前記音声情報を再生しようとする旨をプロンプトするように配置される第２のプロンプトサブモジュールとを備えもよい。
【００１２】
ある実施例において、当該装置は、端末機器からの音声情報の音を識別するように配置される識別モジュールと、前記音声情報の音を記憶された音声と照合させるように配置される照合モジュールと、をさらに備えてもよく、前記プロンプトモジュールは、前記照合に成功した場合、当該記憶された音声をプロンプト音声として再生し、前記照合に成功しなかった場合、プロンプト音声を再生することで、当該音声情報を再生しようとする旨をプロンプトする。
【００１３】
ある実施例において、当該装置は、前記音声情報を再生するように配置される再生モジュールをさらに備えてもよい。
【００１４】
ある実施例において、前記プロンプトモジュールは、前記音声情報をその音量が徐々に大きくなるように再生するようにプレーヤーを制御するように配置される第３のプロンプトサブモジュールを備えてもよい。
【００１５】
本開示の実施例の第３の局面によれば、プロセッサと、プロセッサの実行可能な指令を記憶するためのメモリとを備え、前記プロセッサは、端末機器の音声情報を受信する際の現在時間を取得し、前記現在時間と前回の音声再生時に対応する時点との時間間隔を特定し、前記時間間隔が所定の時間帯よりも大きい場合、前記音声情報を再生する旨のプロンプト情報を放出するように配置される音声通話プロンプト装置を提供する。
【発明の効果】
【００１６】
本開示の実施例によれば、以下の格別な効果を奏することができる。音声情報を受信する際の現在時間と前回の音声再生時に対応する時点との時間間隔を特定することにより、時間間隔と所定の時間帯との関係に基づいて、プロンプト情報を放出する必要があるか否かを特定する。これにより、撮像機器側にあるユーザに対して、端末機器からの音声情報が必要であることをプロンプトすることに役立ち、ユーザに当該音声情報の聴取に充分な心理的準備をさせることで、ユーザを驚かせることを回避し、ユーザの音声通信時の体験を向上させる。
【００１７】
上述の一般的な記述及び後述の具体的な記述が単に例示的及び解釈的なものであり、本発明を制限できるものでないことは、理解されるべきである。
【図面の簡単な説明】
【００１８】
ここでの図面は、明細書を構成する一部として見なされ、本開示に適した実施例を示し、かつ、明細書の文字記載とともに本開示の仕組みを解釈するために用いられる。
【００１９】
【図１】一例示的実施例による音声通話プロンプト方法を示すフローチャートである。
【００２０】
【図２】一例示的実施例１による音声通話プロンプト方法を示すフローチャートである。
【００２１】
【図３】一例示的実施例２による音声通話プロンプト方法を示すフローチャートである。
【００２２】
【図４】一例示的実施例３による音声通話プロンプト方法を示すフローチャートである。
【００２３】
【図５】一例示的実施例による音声通話プロンプト装置を示すブロック図である。
【００２４】
【図６】一例示的実施例による別の音声通話プロンプト装置を示すブロック図である。
【００２５】
【図７】一例示的実施例による音声通話プロンプトに適用される装置を示すブロック図である。
【発明を実施するための形態】
【００２６】
ここで、例示的実施例を詳細に説明し、その例示が図面に示されている。以下の記述が図面に係る場合、別途にて示さない限り、異なる図面における同じ数字は、同じまたは類似する要素を示す。以下の例示的実施例に記述される実施形態は、本開示と一致する全ての実施形態を代表するとは限らない。逆に、それらは、添付の特許請求の範囲に詳しく記載されているように、本発明の一部の局面と一致する装置及び方法の例に過ぎない。
【００２７】
図１は一例示的実施例による音声通話プロンプト方法を示すフローチャートである。当該音声通話プロンプト方法は、インテリジェント撮像機器（例えば、インテリジェントカメラ、インテリジェントカメラ）によって実現される。図１に示すように、当該音声通話プロンプト方法は、以下のステップS１０１-S１０３を含む。
【００２８】
ステップS１０１では、端末機器の音声情報を受信する際の現在時間を取得する。
【００２９】
ある実施例においては、撮像機器は、インターネットにアクセスできる通信モジュールを設けることによって、通信モジュールを使用してインターネットを介して端末機器と通信接続を確立し、且つ、インターネットを介して端末機器からの音声情報を受信する。例えば、現在時間が２０１４年１１月１２日午前１０時０５分であると特定する。
【００３０】
ステップS１０２において、現在時間と前回の音声再生時に対応する時点との時間間隔を特定する。
【００３１】
例えば、前回の音声再生の時間は２０１４年１１月１２日午前１０時であり、１０時から時間間隔を積算してカウントする必要がある。１０時０５分に当該音声情報を受信する場合、音声情報とその前回の音声再生との時間間隔は５分間である。
【００３２】
ステップS１０３において、時間間隔が所定の時間帯よりも大きい場合、音声情報を再生する旨のプロンプト情報を放出する。
【００３３】
ある実施例において、所定の時間帯は、ユーザの個人習慣に応じて設定することができる。例えば、ユーザが時間帯を３分間に設定した場合、上記ステップS１０２で得られた現在時間と前回の音声再生時に対応する時点との時間間隔である５分間は、所定の時間帯によって定められた３分間よりも大きいため、音声プロンプトを再生する必要がある。逆に、時間間隔が所定の時間帯よりも小さい場合、音声プロンプトを再生する必要はなく、上記音声情報をそのまま再生すればよい。
【００３４】
この実施例において、音声情報を受信する際の現在時間と前回の音声再生時に対応する時点との時間間隔を特定することにより、時間間隔と所定の時間帯との関係に基づいて、プロンプト情報を放出するか否かを特定する。これによって、撮像機器側に所在するユーザに対して端末機器からの音声情報が必要であるよとプロンプトすることに役立ち、ユーザに当該音声情報を聴取する心理的準備をさせることで、ユーザを驚かせることを回避し、ユーザの音声通信時の体験を向上させる。
【００３５】
ある実施例において、ステップS１０３は、音声プロンプトにて音声情報を再生しようとする旨をプロンプトすることを含んでもよい。
【００３６】
ある実施例において、ステップS１０３は、指示ランプの点滅により、上記音声情報を再生しようとする旨をプロンプトすることを含んでもよい。
【００３７】
ある実施例において、ステップS１０３は、音声情報をその音量が徐々に大きくなるよう再生するようにプレーヤーを制御することを含んでもよい。
【００３８】
ある実施例において、音声通話プロンプト方法は、さらに音声情報を再生することを含んでもよい。
【００３９】
ここには、本開示の実施例による上記方法は、時間間隔と所定の時間帯との関係に基づいて、プロンプト情報を放出するか否かを特定する。これによって、撮像機器側に所在するユーザに対して、端末機器からの音声情報が必要であることをプロンプトすることに役立ち、ユーザに当該音声情報を聴取する心理的準備をさせることで、ユーザを驚かせることを回避し、ユーザが音声で通信するときの体験を向上させる。
【００４０】
以下には、具体的な実施例によって本開示の実施例の技術案を説明する。
【００４１】
図２は一例示的実施例１による音声通話プロンプト方法を示すフローチャートである。本開示の実施例では、音声プロンプトによりユーザに対して端末機器からの音声情報を再生することをプロンプトする。図２に示すように、以下のステップを含む。
【００４２】
ステップS２０１において、端末機器の音声情報を受信する時の現在時間を取得する。
【００４３】
ステップS２０１に対する記述は、上記ステップS１０１に対する記載を参照することができるため、ここで繰り返し説明しない。
【００４４】
ステップS２０２において、現在時間と前回の音声再生時に対応する時点との時間間隔を特定する。
【００４５】
ステップS２０２に対する記述は、上記ステップS１０２に対する記載を参照することができるため、ここで繰り返し説明しない。
【００４６】
ステップS２０３において、時間間隔が所定の時間帯によりも大きいのであれば、プロンプト音声を再生することで、当該音声情報を再生しようとする旨をプロンプトする。
【００４７】
例えば、「ピンドン」などのようなプロンプト音声を再生することにより、ユーザに対して端末機器からの音声情報を再生しようとする旨をプロンプトする。さらに、ユーザは、撮像機器によって自分の好みに合うプロンプト音声を設定したり、ユーザ自身の音声をレコードすることによって撮像機器がプロンプト音声を再生する必要が生じるときにユーザ自身の音声を再生したり、端末機器側のユーザの音声をレコードすることによって撮像機器がプロンプト音声を再生する必要が生じるときにプロンプト音声と再生音声との一致性を確保させて、撮像機器側のユーザが音声再生を受信する体験を極めて向上させる。
【００４８】
好ましくは、音声通話プロンプト方法は、さらに以下のことを含む。
【００４９】
端末機器からの音声情報の音を識別する。
【００５０】
当該音声情報の音を記憶された音に照合させる。
【００５１】
照合に成功すれば、既に記憶された音をプロンプト音声として再生する。照合に成功しなければ、プロンプト音声を再生することによって当該音声情報を再生しようとする旨をプロンプトする。
【００５２】
撮像機器は、端末機器からの音声情報の声音を識別することによって、当該声音と記憶されたユーザの音声とを照合させる。これにより、音声情報の音と一致するプロンプト音声を再生することができるため、ユーザが音声情報を聴取する体験を一層向上させる。
【００５３】
図３は、一例示的実施例２による音声通話プロンプト方法を示すフローチャートである。本開示の実施例は、指示ランプの点滅によりユーザに対して端末機器からの音声情報を再生することをプロンプトする。図３に示すように、以下のステップを含む。
【００５４】
ステップS３０１においては、端末機器の音声情報を受信する際の現在時間を取得する。
【００５５】
ステップS３０１に対する記述は、上記のステップS１０１の記述を参照することができるため、ここで繰り返し説明しない。
【００５６】
ステップS３０２においては、現在時間と前回の音声再生時に対応する時点との時間間隔を特定する。
【００５７】
ステップS３０２に対する記述は、上記ステップS１０２に対する記述を参照することができるので、ここで繰り返し説明しない。
【００５８】
ステップS３０３においては、時間間隔が所定の時間帯によりも大きい場合、音声情報を再生しようとする旨をプロンプトするように、指示ランプを定められた頻度で点滅させるように当該指示ランプを制御する。
【００５９】
指示ランプは、撮像機器の稼動状態を指示するためのものであり、例えば、常態オンは、撮像機器が通常の動作状態になることを示し、点滅は、撮像機器が通信ネットワークへのアクセスを確立していることを示す。本実施例では、指示ランプを制御することによって、定められた頻度で点滅させて、ユーザに対して音声情報を再生しようとする旨をプロンプトする。ユーザが指示ランプの点滅を感知するとき、充分な心理的準備を整えて端末機器からの音声情報を聴取するため、驚かせることを回避し、音声通信するときのユーザ体験を向上させる。
【００６０】
図４は一例示的実施例３による音声通話プロンプト方法を示すフローチャートである。本開示の実施例は、プレーヤーで音声情報を再生する音量を制御した上で端末機器からの音声情報を再生することをプロンプトする。図４に示すように、以下のステップを含む。
【００６１】
ステップS４０１において、端末機器の音声情報を受信する際の現在時間を取得する。
【００６２】
ステップS４０１に対する記述は、上記ステップS１０１に対する記述を参照することができるため、ここで繰り返し説明しない。
【００６３】
ステップS４０２においては、現在時間と前回の音声再生時に対応する時点との時間間隔を特定する。
【００６４】
ステップS４０２に対する記述は、上記ステップS１０２に対する記述を参照することができるため、ここで繰り返し説明しない。
【００６５】
ステップS４０３においては、時間間隔が所定の時間帯よりも大きい場合、音声情報をその音量が徐々に大きくなるように再生するようにプレーヤーを制御する。
【００６６】
本実施例では、音声情報をその音量が徐々に大きくなるようにユーザに対して再生するようにプレーヤーを制御することができる。ユーザが小さい音量での音声情報を聴取したとき、端末機器からの音声情報を聴取するのに充分な心理的準備をすることで、驚かせることを回避し、ユーザの音声通信時の体験を向上させる。
【００６７】
好ましくは、上記方法は、さらに以下のステップを含む。
【００６８】
当該音声情報を再生する。音声情報を再生する必要があるよとユーザにプロンプトした後、音声を再生することによって、ユーザが撮像機器によって再生される音声情報を聴取する過程で非常に楽しめる。ユーザ体験を大きく向上させる。
【００６９】
図５は一例示的実施例による音声通話プロンプト装置を示すブロック図である。図５に示すように、音声通話プロンプト装置は、取得モジュール５１と、特定モジュール５２と、プロンプトモジュール５３とを含む。
【００７０】
取得モジュール５１は、端末機器の音声情報を受信する際の現在時間を取得するように配置される。
【００７１】
特定モジュール５２は、前記現在時間と前回の音声再生時に対応する時点との時間間隔を特定するように配置される。
【００７２】
プロンプトモジュール５３は、前記時間間隔が所定の時間帯よりも大きい場合、前記音声情報を再生する旨のプロンプト情報を放出するように配置される。。
【００７３】
図６に示すように、プロンプトモジュール５３は、第１のプロンプトサブモジュール５３１、および・または、第２のプロンプトサブモジュール５３２を含んでもよい。
【００７４】
第１のプロンプトサブモジュール５３１は、プロンプト音声にて上記音声情報を再生しようとする旨をプロンプトするように配置される。
【００７５】
第２のプロンプトサブモジュール５３２は、指示ランプの点滅により、上記音声情報を再生しようとする旨をプロンプトするように配置される。
【００７６】
ある実施例において、上記装置は、識別モジュール（図示せず）と、照合モジュール（図示せず）とをさらに含む。
【００７７】
識別モジュールは、端末機器からの音声情報の声音を識別するように配置される。
【００７８】
照合モジュールは、音声情報の音を記憶された音に照合させるように配置される。
【００７９】
照合に成功すれば、プロンプトモジュール５３は、当該記憶された音をプロンプト音声として再生する。照合に成功しなければ、プロンプトモジュール５３は、プロンプト音声を再生して当該音声情報を再生しようとする旨をプロンプトする。
【００８０】
ある実施例において、上記装置は、さらに、前記音声情報を再生するように配置される再生モジュール５４を含む。
【００８１】
ある実施例において、プロンプトモジュール５３は、さらに、指示ランプを設定された頻度にて点滅させるように制御して前記音声情報を再生しようとする旨をプロンプトするように配置される第３のプロンプトサブモジュール５３３を含んでもよい。
【００８２】
上記実施例における装置に関して、各モジュールが操作を実行する具体的形態は、すでに方法に関する実施例で詳細に説明されたので、ここで繰り返し説明しない。
【００８３】
図７は一例示的実施例による音声通話プロンプト装置７００に適用されるブロック図である。例えば、装置７００は、携帯電話、コンピュータ、デジタル放送端末、メッセージ送受信機器、ゲームコンソール、パネル機器、医療機器、スポーツ機器、PDAなどであってもよい。
【００８４】
図７を参照して、装置７００は、処理ユニット７０２、メモリ７０４、電源ユニット７０６、マルチメディアユニット７０７、オーディオユニット７１０、入力・出力（I/ O）インターフェース７１２、センサユニット７１４、および、通信ユニット７１６のうちの一つまたは複数のユニットを含んでもよい。
【００８５】
処理ユニット７０２は、通常、装置７００の全体操作、例えば、表示、電話発呼、データ通信、カメラ操作および記録操作に関連する操作を制御する。処理素子７０２は、上記の方法の全部または一部のステップを実現するために、指令を実行するための一つまたは複数のプロセッサ７２０を含んでもよい。その他、処理ユニット７０２は、処理ユニット７０２と他のユニットとのインタラクティブのために、一つまたは複数のモジュールを含んでもよい。例えば、処理部件７０２は、マルチメディアユニット７０７と処理ユニット７０２とのインタラクティブのために、マルチメディアモジュールを含んでもよい。
【００８６】
メモリ７０４は、機器７００での操作をサポートするように各タイプのデータを記憶するように配置される。これらのデータは、例として、装置７００において操作するいかなるアプリケーションプログラムまたは方法の指令、連絡先のデータ、電話帳のデータ、メッセージ、ピクチャ、ビデオなどを含む。メモリ７０４は、いかなるタイプの揮発性または不揮発性メモリ機器またはそれらの組み合わせによって実現され得る。例えば、静的ランダムアクセスメモリ（ＳＲＡＭ）、電気的に消去可能なＰＲＯＭ（ＥＥＰＲＯＭ）、電気的プログラム可能なＲＯＭ（ＥＰＲＯＭ）、プログラム可能なＲＯＭ（ＰＲＯＭ）、読み出し専用メモリ（ＲＯＭ）、磁気メモリ、フラッシュメモリ、磁気ディスクまたは光ディスクであってよい。
【００８７】
電力ユニット７０６は、装置７００のユニットのそれぞれに電力を供給する。電力ユニット７０６は、電源管理システム、１つまたは複数の電源、並びに、装置７００用の電力を生成、管理および配分するに関する他のユニットを含んでもよい。
【００８８】
マルチメディアユニット７０８は、前記装置７００とユーザとの間での、１つの出力インターフェースを供給するスクリーンを含む。ある実施例では、スクリーンは、液晶ディスプレイ（ＬＣＤ）とタッチパネル（ＴＰ）を含んでもよい。スクリーンにタッチパネルが含まれば、スクリーンは、ユーザからの入力信号を受け取るように、タッチスクリーンとして実現されてよい。タッチパネルは、タッチ、スライドおよびタッチパネル上でのジェスチャーを感知するように、１つまたは複数の触摸センサを含む。前記触摸センサが、タッチあるいはスライド動作の境界を感知するとともに、前記タッチあるいはスライド操作に関する持続時間および圧力を検出することは可能である。ある実施例では、マルチメディアユニット７０８は、１つのフロントカメラおよび・またはバックカメラを含む。装置７００が操作モード、例えば、撮影モード或いはビデオモードであるとき、フロントカメラおよび・またはバックカメラは、外部のマルチメディアデータを受信することができる。各フロントカメラとバックカメラは、１つの固定の光学レンズシステムであってもよいし、焦点距離および光学ズーム能力を有するものであってもよい。
【００８９】
オーディオユニット７１０は、オーディオ信号を出力および・または入力するように配置される。例えば、オーディオユニット７１０は、１つのマイク（ＭＩＣ）を含み、装置７００が操作モード、例えば、発呼モード、記録モードおよび音声認識モードであるとき、マイクは、外部オーディオ信号を受信するように配置される。受信されたオーディオ信号は、さらに、メモリ７０４に記憶される、または、通信ユニット７１６を介して送信されることができる。ある実施例では、オーディオユニット７１０は、オーディオ信号を出力するための１つのスピーカをさらに備える。
【００９０】
Ｉ／Ｏインターフェース７１２は、処理ユニット７０２と周囲インターフェースモジュール間でインターフェースを供給し、上述した周囲インターフェースモジュールは、キーボード、クリックホイール、ボタンなどであってよい。これらのボタンは、ホーンページボタン、ボリュームボタン、起動ボタンおよびロックボタンを含んでもよいが、それらに限られない。
【００９１】
センサユニット７１４は、いろんな方面での状態推定を装置７００に供給するための１つまたは複数のセンサを含む。例えば、センサユニット７１４は、装置７００のＯＮ／ＯＦＦ状態、ユニットの相対測位を検出することができ、例えば、前記ユニットは、装置７００のディスプレイおよびテンキーである。センサユニット７１４は、さらに、装置７００もしくは装置７００の１つのユニットの位置変更、ユーザと装置７００の接触の存在もしくは不存在、装置７００の方位もしくは加速／減速および装置７００の温度変化を検出することができる。センサユニット７１４は、如何なる物理的接触もないとき、近辺にある物体の存在を検出するための近接センサを含んでもよい。センサユニット７１４は、さらに、結像応用に使用される光センサ、例えばＣＭＯＳまたはＣＣＤ画像センサを含んでもよい。ある実施例では、当該センサユニット７１４は、さらに、加速度センサ、ジャイロセンサ、磁気センサ、圧力センサ或温度センサを含んでもよい。
【００９２】
通信ユニット７１６は、装置７００と他の機器間で有線または無線の通信ができるように設けられる。装置７００は、通信規格に基づく無線ネットワーク、例えば、ＷｉＦｉ、２Ｇもしくは３Ｇ、またはそれらの組み合わせにアクセスすることができる。ある例示的実施例では、通信部品７１６は、外部報知管理システムからのの報知信号または報知関連情報を報知チャネルを介して受信する。ある例示的実施例では、前記通信部品７１６は、近距離通信を促進するように、ニアフィールド通信（ＮＦＣ）モジュールをさらに備える。例えば、ＮＦＣモジュールは、無線周波数認識（ＲＦＩＤ）技術、赤外線通信標準化団体（ＩｒＤＡ）技術、超広帯域無線通信（ＵＷＢ）技術、ブルートゥース（ＢＴ）技術および他の技術に基づいて実現されてもよい。
【００９３】
例示的実施例では、装置７００は、上述した方法を実行するために、１つまたは複数の特定用途向け集積回路（ＡＳＩＣ）、デジタル信号プロセッサ（ＤＳＰ）、デジタル信号処理デバイス（ＤＳＰＤ）、ログラマブル・ロジック・デバイス（ＰＬＤ）、フィールド・プログラマブル・ゲート・アレイ（ＦＰＧＡ）、コントローラ、マイクロコントローラ、マイクロプロセッサまたは他の電子部品で実現されてもよい。
【００９４】
例示的実施例では、指令を含む非一時的コンピュータ読み取り可能な記録媒体、例えば、指令を含むメモリ８０４をさらに提供し、上述した指令が装置８００のプロセッサ８２０によって実行されることで上述した方法を完成させることができる。例えば、前記非一時的コンピュータ読み取り可能な記録媒体は、ＲＯＭ、ランダムアクセスメモリ（ＲＡＭ）、ＣＤ−ＲＯＭ、磁気テープ、フロッピーディスクおよび光データ記憶装置などであってよい。
【００９５】
当業者は明細書を考慮し、ここに公開された開示を実践した後、本開示の他の実施案を容易に想到する。本願は、本開示の如何なる変形、用途または適応的変化もカバーすることを意図する。これら変形、用途または適応的変化は、本開示の一般的な仕組みに従い、かつ、本開示に開示されていない当分野における公知常識または慣用技術手段を含む。明細書及びび実施例は単なる例示的なものと見なされ、本開示の本当の範囲及びび思想は添付の特許請求の範囲によって与えられる。
【００９６】
本開示が以上で記述されて図面に示された精確な構造に限定されるものでなく、その要旨を逸脱しない範囲でいろんな補正や変更も可能であることは理解されるべきである。本開示の範囲は、添付する特許請求の範囲のみによって限定される。
【図１】
2017508413.tif 000003
【図２】
2017508413.tif 000004
【図３】
2017508413.tif 000005
【図４】
2017508413.tif 000006
【図５】
2017508413.tif 000007
【図６】
2017508413.tif 000008
【図７】
2017508413.tif 000009
【手続補正書】
【提出日】平成27年7月31日(2015.7.31)
【手続補正１】
【補正対象書類名】明細書
【補正対象項目名】全文
【補正方法】変更
【補正の内容】
【発明の詳細な説明】
【相互参照】
【０００１】
本発明は、出願番号が２０１４１０６５９７２５１であり、出願日が２０１４年１１月１８日である中国特許出願を基に提出するものであり、当該中国特許出願の優先権を主張し、当該中国特許出願の全ての内容は、参照のため本願に援用される。
【技術分野】
【０００２】
本発明は、通信技術分野に関し、特に音声通話プロンプト方法、装置、プログラム及び記録媒体に関する。
【背景技術】
【０００３】
インテリジェントカメラは、家庭安全監視において非常に重要な役割を果たしている。関連技術では、カメラで捕らえた映像を端末機器を介して取得する。音声会話を行っているとき、関連技術では、直接に音声を遠隔通信の相手に送信する。ユーザが事前に準備がない場合に驚いたりするため、ユーザ体験は悪い。
【発明の概要】
【発明が解決しようとする課題】
【０００４】
関連技術に存在する課題を克服するすべく、本開示の実施例は、音声通信時のユーザ体験を向上させるための音声通話プロンプト方法、装置、プログラム及び記録媒体を提供する。
【課題を解決するための手段】
【０００５】
本開示の実施例の第１の局面によれば、端末機器の音声情報を受信する際の現在時間を取得するステップと、前記現在時間と前回の音声再生時に対応する時点との時間間隔を特定するステップと、前記時間間隔が所定の時間帯よりも大きい場合、前記音声情報を再生する旨のプロンプト情報を放出するステップと、を含む音声通話プロンプト方法を提供する。
【０００６】
ある実施例において、前記音声情報を再生する旨のプロンプト情報を放出するステップは、プロンプト音声を再生することで、前記音声情報を再生しようとする旨をプロンプトすること、または、指示ランプが定められた頻度で点滅するように制御することで、前記音声情報を再生しようとする旨をプロンプトすること、を含んでもよい。
【０００７】
ある実施例において、音声通話プロンプト方法は、端末機器からの音声情報の音を識別するステップと、前記音声情報の音を記憶された音と照合させるステップとをさらに含んでもよく、前記照合に成功した場合、当該記憶された音をプロンプト音声として再生し、前記照合に成功しなかった場合、プロンプト音声を再生することで、当該音声情報を再生しようとする旨をプロンプトする。
【０００８】
ある実施例において、音声通話プロンプト方法は、前記音声情報を再生するステップをさらに含んでもよい。
【０００９】
ある実施例において、前記音声情報を再生する旨のプロンプト情報を放出するステップは、前記音声情報をその音量が徐々に大きくなるように再生するようにプレーヤーを制御することを含んでもよい。
【００１０】
本開示の実施例の第２の局面によれば、端末機器の音声情報を受信する際の現在時間を取得するように配置される取得モジュールと、前記現在時間と前回の音声再生時に対応する時点との時間間隔を特定するように配置される特定モジュールと、前記時間間隔が所定の時間帯よりも大きい場合、前記音声情報を再生する旨のプロンプト情報を放出するように配置されるプロンプトモジュールとを備える音声通話プロンプト装置を提供する。
【００１１】
ある実施例において、前記プロンプトモジュールは、プロンプト音声を再生することで、前記音声情報を再生しようとする旨をプロンプトするように配置される第１のプロンプトサブモジュールと、および・または、指示ランプを点滅させることで、前記音声情報を再生しようとする旨をプロンプトするように配置される第２のプロンプトサブモジュールとを備えもよい。
【００１２】
ある実施例において、当該装置は、端末機器からの音声情報の音を識別するように配置される識別モジュールと、前記音声情報の音を記憶された音声と照合させるように配置される照合モジュールと、をさらに備えてもよく、前記プロンプトモジュールは、前記照合に成功した場合、当該記憶された音声をプロンプト音声として再生し、前記照合に成功しなかった場合、プロンプト音声を再生することで、当該音声情報を再生しようとする旨をプロンプトする。
【００１３】
ある実施例において、当該装置は、前記音声情報を再生するように配置される再生モジュールをさらに備えてもよい。
【００１４】
ある実施例において、前記プロンプトモジュールは、前記音声情報をその音量が徐々に大きくなるように再生するようにプレーヤーを制御するように配置される第３のプロンプトサブモジュールを備えてもよい。
【００１５】
本開示の実施例の第３の局面によれば、プロセッサと、プロセッサの実行可能な指令を記憶するためのメモリとを備え、前記プロセッサは、端末機器の音声情報を受信する際の現在時間を取得し、前記現在時間と前回の音声再生時に対応する時点との時間間隔を特定し、前記時間間隔が所定の時間帯よりも大きい場合、前記音声情報を再生する旨のプロンプト情報を放出するように配置される音声通話プロンプト装置を提供する。
【００１６】
本開示の実施例の第４の局面によれば、プロセッサに実行されることにより、本開示の実施例の第１の局面に記載の音声通話プロンプト方法を実現するプログラムを提供する。
【００１７】
本開示の実施例の第５の局面によれば、本開示の実施例の第４の局面に記載のプログラムが記録された記録媒体を提供する。
【発明の効果】
【００１８】
本開示の実施例によれば、以下の格別な効果を奏することができる。音声情報を受信する際の現在時間と前回の音声再生時に対応する時点との時間間隔を特定することにより、時間間隔と所定の時間帯との関係に基づいて、プロンプト情報を放出する必要があるか否かを特定する。これにより、撮像機器側にあるユーザに対して、端末機器からの音声情報が必要であることをプロンプトすることに役立ち、ユーザに当該音声情報の聴取に充分な心理的準備をさせることで、ユーザを驚かせることを回避し、ユーザの音声通信時の体験を向上させる。
【００１９】
上述の一般的な記述及び後述の具体的な記述が単に例示的及び解釈的なものであり、本発明を制限できるものでないことは、理解されるべきである。
【図面の簡単な説明】
【００２０】
ここでの図面は、明細書を構成する一部として見なされ、本開示に適した実施例を示し、かつ、明細書の文字記載とともに本開示の仕組みを解釈するために用いられる。
【００２１】
【図１】一例示的実施例による音声通話プロンプト方法を示すフローチャートである。
【００２２】
【図２】一例示的実施例１による音声通話プロンプト方法を示すフローチャートである。
【００２３】
【図３】一例示的実施例２による音声通話プロンプト方法を示すフローチャートである。
【００２４】
【図４】一例示的実施例３による音声通話プロンプト方法を示すフローチャートである。
【００２５】
【図５】一例示的実施例による音声通話プロンプト装置を示すブロック図である。
【００２６】
【図６】一例示的実施例による別の音声通話プロンプト装置を示すブロック図である。
【００２７】
【図７】一例示的実施例による音声通話プロンプトに適用される装置を示すブロック図である。
【発明を実施するための形態】
【００２８】
ここで、例示的実施例を詳細に説明し、その例示が図面に示されている。以下の記述が図面に係る場合、別途にて示さない限り、異なる図面における同じ数字は、同じまたは類似する要素を示す。以下の例示的実施例に記述される実施形態は、本開示と一致する全ての実施形態を代表するとは限らない。逆に、それらは、添付の特許請求の範囲に詳しく記載されているように、本発明の一部の局面と一致する装置及び方法の例に過ぎない。
【００２９】
図１は一例示的実施例による音声通話プロンプト方法を示すフローチャートである。当該音声通話プロンプト方法は、インテリジェント撮像機器（例えば、インテリジェントカメラ、インテリジェントカメラ）によって実現される。図１に示すように、当該音声通話プロンプト方法は、以下のステップS１０１-S１０３を含む。
【００３０】
ステップS１０１では、端末機器の音声情報を受信する際の現在時間を取得する。
【００３１】
ある実施例においては、撮像機器は、インターネットにアクセスできる通信モジュールを設けることによって、通信モジュールを使用してインターネットを介して端末機器と通信接続を確立し、且つ、インターネットを介して端末機器からの音声情報を受信する。例えば、現在時間が２０１４年１１月１２日午前１０時０５分であると特定する。
【００３２】
ステップS１０２において、現在時間と前回の音声再生時に対応する時点との時間間隔を特定する。
【００３３】
例えば、前回の音声再生の時間は２０１４年１１月１２日午前１０時であり、１０時から時間間隔を積算してカウントする必要がある。１０時０５分に当該音声情報を受信する場合、音声情報とその前回の音声再生との時間間隔は５分間である。
【００３４】
ステップS１０３において、時間間隔が所定の時間帯よりも大きい場合、音声情報を再生する旨のプロンプト情報を放出する。
【００３５】
ある実施例において、所定の時間帯は、ユーザの個人習慣に応じて設定することができる。例えば、ユーザが時間帯を３分間に設定した場合、上記ステップS１０２で得られた現在時間と前回の音声再生時に対応する時点との時間間隔である５分間は、所定の時間帯によって定められた３分間よりも大きいため、音声プロンプトを再生する必要がある。逆に、時間間隔が所定の時間帯よりも小さい場合、音声プロンプトを再生する必要はなく、上記音声情報をそのまま再生すればよい。
【００３６】
この実施例において、音声情報を受信する際の現在時間と前回の音声再生時に対応する時点との時間間隔を特定することにより、時間間隔と所定の時間帯との関係に基づいて、プロンプト情報を放出するか否かを特定する。これによって、撮像機器側に所在するユーザに対して端末機器からの音声情報が必要であるよとプロンプトすることに役立ち、ユーザに当該音声情報を聴取する心理的準備をさせることで、ユーザを驚かせることを回避し、ユーザの音声通信時の体験を向上させる。
【００３７】
ある実施例において、ステップS１０３は、音声プロンプトにて音声情報を再生しようとする旨をプロンプトすることを含んでもよい。
【００３８】
ある実施例において、ステップS１０３は、指示ランプの点滅により、上記音声情報を再生しようとする旨をプロンプトすることを含んでもよい。
【００３９】
ある実施例において、ステップS１０３は、音声情報をその音量が徐々に大きくなるよう再生するようにプレーヤーを制御することを含んでもよい。
【００４０】
ある実施例において、音声通話プロンプト方法は、さらに音声情報を再生することを含んでもよい。
【００４１】
ここには、本開示の実施例による上記方法は、時間間隔と所定の時間帯との関係に基づいて、プロンプト情報を放出するか否かを特定する。これによって、撮像機器側に所在するユーザに対して、端末機器からの音声情報が必要であることをプロンプトすることに役立ち、ユーザに当該音声情報を聴取する心理的準備をさせることで、ユーザを驚かせることを回避し、ユーザが音声で通信するときの体験を向上させる。
【００４２】
以下には、具体的な実施例によって本開示の実施例の技術案を説明する。
【００４３】
図２は一例示的実施例１による音声通話プロンプト方法を示すフローチャートである。本開示の実施例では、音声プロンプトによりユーザに対して端末機器からの音声情報を再生することをプロンプトする。図２に示すように、以下のステップを含む。
【００４４】
ステップS２０１において、端末機器の音声情報を受信する時の現在時間を取得する。
【００４５】
ステップS２０１に対する記述は、上記ステップS１０１に対する記載を参照することができるため、ここで繰り返し説明しない。
【００４６】
ステップS２０２において、現在時間と前回の音声再生時に対応する時点との時間間隔を特定する。
【００４７】
ステップS２０２に対する記述は、上記ステップS１０２に対する記載を参照することができるため、ここで繰り返し説明しない。
【００４８】
ステップS２０３において、時間間隔が所定の時間帯によりも大きいのであれば、プロンプト音声を再生することで、当該音声情報を再生しようとする旨をプロンプトする。
【００４９】
例えば、「ピンドン」などのようなプロンプト音声を再生することにより、ユーザに対して端末機器からの音声情報を再生しようとする旨をプロンプトする。さらに、ユーザは、撮像機器によって自分の好みに合うプロンプト音声を設定したり、ユーザ自身の音声をレコードすることによって撮像機器がプロンプト音声を再生する必要が生じるときにユーザ自身の音声を再生したり、端末機器側のユーザの音声をレコードすることによって撮像機器がプロンプト音声を再生する必要が生じるときにプロンプト音声と再生音声との一致性を確保させて、撮像機器側のユーザが音声再生を受信する体験を極めて向上させる。
【００５０】
好ましくは、音声通話プロンプト方法は、さらに以下のことを含む。
【００５１】
端末機器からの音声情報の音を識別する。
【００５２】
当該音声情報の音を記憶された音に照合させる。
【００５３】
照合に成功すれば、既に記憶された音をプロンプト音声として再生する。照合に成功しなければ、プロンプト音声を再生することによって当該音声情報を再生しようとする旨をプロンプトする。
【００５４】
撮像機器は、端末機器からの音声情報の声音を識別することによって、当該声音と記憶されたユーザの音声とを照合させる。これにより、音声情報の音と一致するプロンプト音声を再生することができるため、ユーザが音声情報を聴取する体験を一層向上させる。
【００５５】
図３は、一例示的実施例２による音声通話プロンプト方法を示すフローチャートである。本開示の実施例は、指示ランプの点滅によりユーザに対して端末機器からの音声情報を再生することをプロンプトする。図３に示すように、以下のステップを含む。
【００５６】
ステップS３０１においては、端末機器の音声情報を受信する際の現在時間を取得する。
【００５７】
ステップS３０１に対する記述は、上記のステップS１０１の記述を参照することができるため、ここで繰り返し説明しない。
【００５８】
ステップS３０２においては、現在時間と前回の音声再生時に対応する時点との時間間隔を特定する。
【００５９】
ステップS３０２に対する記述は、上記ステップS１０２に対する記述を参照することができるので、ここで繰り返し説明しない。
【００６０】
ステップS３０３においては、時間間隔が所定の時間帯によりも大きい場合、音声情報を再生しようとする旨をプロンプトするように、指示ランプを定められた頻度で点滅させるように当該指示ランプを制御する。
【００６１】
指示ランプは、撮像機器の稼動状態を指示するためのものであり、例えば、常態オンは、撮像機器が通常の動作状態になることを示し、点滅は、撮像機器が通信ネットワークへのアクセスを確立していることを示す。本実施例では、指示ランプを制御することによって、定められた頻度で点滅させて、ユーザに対して音声情報を再生しようとする旨をプロンプトする。ユーザが指示ランプの点滅を感知するとき、充分な心理的準備を整えて端末機器からの音声情報を聴取するため、驚かせることを回避し、音声通信するときのユーザ体験を向上させる。
【００６２】
図４は一例示的実施例３による音声通話プロンプト方法を示すフローチャートである。本開示の実施例は、プレーヤーで音声情報を再生する音量を制御した上で端末機器からの音声情報を再生することをプロンプトする。図４に示すように、以下のステップを含む。
【００６３】
ステップS４０１において、端末機器の音声情報を受信する際の現在時間を取得する。
【００６４】
ステップS４０１に対する記述は、上記ステップS１０１に対する記述を参照することができるため、ここで繰り返し説明しない。
【００６５】
ステップS４０２においては、現在時間と前回の音声再生時に対応する時点との時間間隔を特定する。
【００６６】
ステップS４０２に対する記述は、上記ステップS１０２に対する記述を参照することができるため、ここで繰り返し説明しない。
【００６７】
ステップS４０３においては、時間間隔が所定の時間帯よりも大きい場合、音声情報をその音量が徐々に大きくなるように再生するようにプレーヤーを制御する。
【００６８】
本実施例では、音声情報をその音量が徐々に大きくなるようにユーザに対して再生するようにプレーヤーを制御することができる。ユーザが小さい音量での音声情報を聴取したとき、端末機器からの音声情報を聴取するのに充分な心理的準備をすることで、驚かせることを回避し、ユーザの音声通信時の体験を向上させる。
【００６９】
好ましくは、上記方法は、さらに以下のステップを含む。
【００７０】
当該音声情報を再生する。音声情報を再生する必要があるよとユーザにプロンプトした後、音声を再生することによって、ユーザが撮像機器によって再生される音声情報を聴取する過程で非常に楽しめる。ユーザ体験を大きく向上させる。
【００７１】
図５は一例示的実施例による音声通話プロンプト装置を示すブロック図である。図５に示すように、音声通話プロンプト装置は、取得モジュール５１と、特定モジュール５２と、プロンプトモジュール５３とを含む。
【００７２】
取得モジュール５１は、端末機器の音声情報を受信する際の現在時間を取得するように配置される。
【００７３】
特定モジュール５２は、前記現在時間と前回の音声再生時に対応する時点との時間間隔を特定するように配置される。
【００７４】
プロンプトモジュール５３は、前記時間間隔が所定の時間帯よりも大きい場合、前記音声情報を再生する旨のプロンプト情報を放出するように配置される。。
【００７５】
図６に示すように、プロンプトモジュール５３は、第１のプロンプトサブモジュール５３１、および・または、第２のプロンプトサブモジュール５３２を含んでもよい。
【００７６】
第１のプロンプトサブモジュール５３１は、プロンプト音声にて上記音声情報を再生しようとする旨をプロンプトするように配置される。
【００７７】
第２のプロンプトサブモジュール５３２は、指示ランプの点滅により、上記音声情報を再生しようとする旨をプロンプトするように配置される。
【００７８】
ある実施例において、上記装置は、識別モジュール（図示せず）と、照合モジュール（図示せず）とをさらに含む。
【００７９】
識別モジュールは、端末機器からの音声情報の声音を識別するように配置される。
【００８０】
照合モジュールは、音声情報の音を記憶された音に照合させるように配置される。
【００８１】
照合に成功すれば、プロンプトモジュール５３は、当該記憶された音をプロンプト音声として再生する。照合に成功しなければ、プロンプトモジュール５３は、プロンプト音声を再生して当該音声情報を再生しようとする旨をプロンプトする。
【００８２】
ある実施例において、上記装置は、さらに、前記音声情報を再生するように配置される再生モジュール５４を含む。
【００８３】
ある実施例において、プロンプトモジュール５３は、さらに、指示ランプを設定された頻度にて点滅させるように制御して前記音声情報を再生しようとする旨をプロンプトするように配置される第３のプロンプトサブモジュール５３３を含んでもよい。
【００８４】
上記実施例における装置に関して、各モジュールが操作を実行する具体的形態は、すでに方法に関する実施例で詳細に説明されたので、ここで繰り返し説明しない。
【００８５】
図７は一例示的実施例による音声通話プロンプト装置７００に適用されるブロック図である。例えば、装置７００は、携帯電話、コンピュータ、デジタル放送端末、メッセージ送受信機器、ゲームコンソール、パネル機器、医療機器、スポーツ機器、PDAなどであってもよい。
【００８６】
図７を参照して、装置７００は、処理ユニット７０２、メモリ７０４、電源ユニット７０６、マルチメディアユニット７０７、オーディオユニット７１０、入力・出力（I/ O）インターフェース７１２、センサユニット７１４、および、通信ユニット７１６のうちの一つまたは複数のユニットを含んでもよい。
【００８７】
処理ユニット７０２は、通常、装置７００の全体操作、例えば、表示、電話発呼、データ通信、カメラ操作および記録操作に関連する操作を制御する。処理素子７０２は、上記の方法の全部または一部のステップを実現するために、指令を実行するための一つまたは複数のプロセッサ７２０を含んでもよい。その他、処理ユニット７０２は、処理ユニット７０２と他のユニットとのインタラクティブのために、一つまたは複数のモジュールを含んでもよい。例えば、処理部件７０２は、マルチメディアユニット７０７と処理ユニット７０２とのインタラクティブのために、マルチメディアモジュールを含んでもよい。
【００８８】
メモリ７０４は、機器７００での操作をサポートするように各タイプのデータを記憶するように配置される。これらのデータは、例として、装置７００において操作するいかなるアプリケーションプログラムまたは方法の指令、連絡先のデータ、電話帳のデータ、メッセージ、ピクチャ、ビデオなどを含む。メモリ７０４は、いかなるタイプの揮発性または不揮発性メモリ機器またはそれらの組み合わせによって実現され得る。例えば、静的ランダムアクセスメモリ（ＳＲＡＭ）、電気的に消去可能なＰＲＯＭ（ＥＥＰＲＯＭ）、電気的プログラム可能なＲＯＭ（ＥＰＲＯＭ）、プログラム可能なＲＯＭ（ＰＲＯＭ）、読み出し専用メモリ（ＲＯＭ）、磁気メモリ、フラッシュメモリ、磁気ディスクまたは光ディスクであってよい。
【００８９】
電力ユニット７０６は、装置７００のユニットのそれぞれに電力を供給する。電力ユニット７０６は、電源管理システム、１つまたは複数の電源、並びに、装置７００用の電力を生成、管理および配分するに関する他のユニットを含んでもよい。
【００９０】
マルチメディアユニット７０８は、前記装置７００とユーザとの間での、１つの出力インターフェースを供給するスクリーンを含む。ある実施例では、スクリーンは、液晶ディスプレイ（ＬＣＤ）とタッチパネル（ＴＰ）を含んでもよい。スクリーンにタッチパネルが含まれば、スクリーンは、ユーザからの入力信号を受け取るように、タッチスクリーンとして実現されてよい。タッチパネルは、タッチ、スライドおよびタッチパネル上でのジェスチャーを感知するように、１つまたは複数の触摸センサを含む。前記触摸センサが、タッチあるいはスライド動作の境界を感知するとともに、前記タッチあるいはスライド操作に関する持続時間および圧力を検出することは可能である。ある実施例では、マルチメディアユニット７０８は、１つのフロントカメラおよび・またはバックカメラを含む。装置７００が操作モード、例えば、撮影モード或いはビデオモードであるとき、フロントカメラおよび・またはバックカメラは、外部のマルチメディアデータを受信することができる。各フロントカメラとバックカメラは、１つの固定の光学レンズシステムであってもよいし、焦点距離および光学ズーム能力を有するものであってもよい。
【００９１】
オーディオユニット７１０は、オーディオ信号を出力および・または入力するように配置される。例えば、オーディオユニット７１０は、１つのマイク（ＭＩＣ）を含み、装置７００が操作モード、例えば、発呼モード、記録モードおよび音声認識モードであるとき、マイクは、外部オーディオ信号を受信するように配置される。受信されたオーディオ信号は、さらに、メモリ７０４に記憶される、または、通信ユニット７１６を介して送信されることができる。ある実施例では、オーディオユニット７１０は、オーディオ信号を出力するための１つのスピーカをさらに備える。
【００９２】
Ｉ／Ｏインターフェース７１２は、処理ユニット７０２と周囲インターフェースモジュール間でインターフェースを供給し、上述した周囲インターフェースモジュールは、キーボード、クリックホイール、ボタンなどであってよい。これらのボタンは、ホーンページボタン、ボリュームボタン、起動ボタンおよびロックボタンを含んでもよいが、それらに限られない。
【００９３】
センサユニット７１４は、いろんな方面での状態推定を装置７００に供給するための１つまたは複数のセンサを含む。例えば、センサユニット７１４は、装置７００のＯＮ／ＯＦＦ状態、ユニットの相対測位を検出することができ、例えば、前記ユニットは、装置７００のディスプレイおよびテンキーである。センサユニット７１４は、さらに、装置７００もしくは装置７００の１つのユニットの位置変更、ユーザと装置７００の接触の存在もしくは不存在、装置７００の方位もしくは加速／減速および装置７００の温度変化を検出することができる。センサユニット７１４は、如何なる物理的接触もないとき、近辺にある物体の存在を検出するための近接センサを含んでもよい。センサユニット７１４は、さらに、結像応用に使用される光センサ、例えばＣＭＯＳまたはＣＣＤ画像センサを含んでもよい。ある実施例では、当該センサユニット７１４は、さらに、加速度センサ、ジャイロセンサ、磁気センサ、圧力センサ或温度センサを含んでもよい。
【００９４】
通信ユニット７１６は、装置７００と他の機器間で有線または無線の通信ができるように設けられる。装置７００は、通信規格に基づく無線ネットワーク、例えば、ＷｉＦｉ、２Ｇもしくは３Ｇ、またはそれらの組み合わせにアクセスすることができる。ある例示的実施例では、通信部品７１６は、外部報知管理システムからのの報知信号または報知関連情報を報知チャネルを介して受信する。ある例示的実施例では、前記通信部品７１６は、近距離通信を促進するように、ニアフィールド通信（ＮＦＣ）モジュールをさらに備える。例えば、ＮＦＣモジュールは、無線周波数認識（ＲＦＩＤ）技術、赤外線通信標準化団体（ＩｒＤＡ）技術、超広帯域無線通信（ＵＷＢ）技術、ブルートゥース（ＢＴ）技術および他の技術に基づいて実現されてもよい。
【００９５】
例示的実施例では、装置７００は、上述した方法を実行するために、１つまたは複数の特定用途向け集積回路（ＡＳＩＣ）、デジタル信号プロセッサ（ＤＳＰ）、デジタル信号処理デバイス（ＤＳＰＤ）、ログラマブル・ロジック・デバイス（ＰＬＤ）、フィールド・プログラマブル・ゲート・アレイ（ＦＰＧＡ）、コントローラ、マイクロコントローラ、マイクロプロセッサまたは他の電子部品で実現されてもよい。
【００９６】
例示的実施例では、指令を含む非一時的コンピュータ読み取り可能な記録媒体、例えば、指令を含むメモリ８０４をさらに提供し、上述した指令が装置８００のプロセッサ８２０によって実行されることで上述した方法を完成させることができる。例えば、前記非一時的コンピュータ読み取り可能な記録媒体は、ＲＯＭ、ランダムアクセスメモリ（ＲＡＭ）、ＣＤ−ＲＯＭ、磁気テープ、フロッピーディスクおよび光データ記憶装置などであってよい。
【００９７】
当業者は明細書を考慮し、ここに公開された開示を実践した後、本開示の他の実施案を容易に想到する。本願は、本開示の如何なる変形、用途または適応的変化もカバーすることを意図する。これら変形、用途または適応的変化は、本開示の一般的な仕組みに従い、かつ、本開示に開示されていない当分野における公知常識または慣用技術手段を含む。明細書及びび実施例は単なる例示的なものと見なされ、本開示の本当の範囲及びび思想は添付の特許請求の範囲によって与えられる。
【００９８】
本開示が以上で記述されて図面に示された精確な構造に限定されるものでなく、その要旨を逸脱しない範囲でいろんな補正や変更も可能であることは理解されるべきである。本開示の範囲は、添付する特許請求の範囲のみによって限定される。
【手続補正２】
【補正対象書類名】特許請求の範囲
【補正対象項目名】全文
【補正方法】変更
【補正の内容】
【特許請求の範囲】
【請求項１】
端末機器から送信される音声情報を受信する際の現在時間を取得するステップと、
前記現在時間と前回の音声再生時に対応する時点との時間間隔を特定するステップと、
前記時間間隔が所定の時間帯よりも大きい場合、前記音声情報を再生する旨のプロンプト情報を放出するステップと、を含むことを特徴とする音声通話プロンプト方法。
【請求項２】
前記音声情報を再生する旨のプロンプト情報を放出するステップは、
プロンプト音声を再生することで、前記音声情報を再生しようとする旨をプロンプトすること、または、
指示ランプが定められた頻度で点滅するように制御することで、前記音声情報を再生しようとする旨をプロンプトすること、を含むことを特徴とする請求項１に記載の音声通話プロンプト方法。
【請求項３】
端末機器からの音声情報の音を識別するステップと、
前記音声情報の音を記憶された音と照合させるステップとをさらに含み、
前記照合に成功した場合、当該記憶された音をプロンプト音声として再生し、
前記照合に成功しなかった場合、プロンプト音声を再生することで、当該音声情報を再生しようとする旨をプロンプトすることを特徴とする請求項１に記載の音声通話プロンプト方法。
【請求項４】
前記音声情報を再生する旨のプロンプト情報を放出するステップの後に、前記音声情報を再生するステップをさらに含むことを特徴とする請求項１に記載の音声通話プロンプト方法。
【請求項５】
前記音声情報を再生する旨のプロンプト情報を放出するステップは、前記音声情報をその音量が徐々に大きくなるように再生するようにプレーヤーを制御することを含むことを特徴とする請求項１に記載の音声通話プロンプト方法。
【請求項６】
端末機器の音声情報を受信する際の現在時間を取得するように配置される取得モジュールと、
前記現在時間と前回の音声再生時に対応する時点との時間間隔を特定するように配置される特定モジュールと、
前記時間間隔が所定の時間帯よりも大きい場合、前記音声情報を再生する旨のプロンプト情報を放出するように配置されるプロンプトモジュールとを備えることを特徴とする音声通話プロンプト装置。
【請求項７】
前記プロンプトモジュールは、
プロンプト音声を再生することで、前記音声情報を再生しようとする旨をプロンプトするように配置される第１のプロンプトサブモジュールと、および・または、
指示ランプを点滅させることで、前記音声情報を再生しようとする旨をプロンプトするように配置される第２のプロンプトサブモジュールとを備えることを特徴とする請求項６に記載の音声通話プロンプト装置。
【請求項８】
端末機器からの音声情報の音を識別するように配置される識別モジュールと、
前記音声情報の音を記憶された音声と照合させるように配置される照合モジュールと、をさらに備え、
前記プロンプトモジュールは、
前記照合に成功した場合、当該記憶された音声をプロンプト音声として再生し、
前記照合に成功しなかった場合、プロンプト音声を再生することで、当該音声情報を再生しようとする旨をプロンプトすることを特徴とする請求項６に記載の音声通話プロンプト装置。
【請求項９】
前記音声情報を再生するように配置される再生モジュールをさらに備えることを特徴とする請求項６に記載の音声通話プロンプト装置。
【請求項１０】
前記プロンプトモジュールは、前記音声情報をその音量が徐々に大きくなるように再生するようにプレーヤーを制御するように配置される第３のプロンプトサブモジュールを備えることを特徴とする請求項６に記載の音声通話プロンプト装置。
【請求項１１】
プロセッサと、
プロセッサの実行可能な指令を記憶するためのメモリとを備え、
前記プロセッサは、
端末機器の音声情報を受信する際の現在時間を取得し、
前記現在時間と前回の音声再生時に対応する時点との時間間隔を特定し、
前記時間間隔が所定の時間帯よりも大きい場合、前記音声情報を再生する旨のプロンプト情報を放出するように配置されることを特徴とする音声通話プロンプト装置。
【請求項１２】
プロセッサに実行されることにより、請求項１から請求項５のいずれか１項に記載の音声通話プロンプト方法を実現することを特徴とするプログラム。
【請求項１３】
請求項１２に記載のプログラムが記録された記録媒体。
【国際調査報告】
2017508413.tif 000010
2017508413.tif 000011
2017508413.tif 000012
2017508413.tif 000013